(57)【特許請求の範囲】
【請求項１】
冷暖房エアコンと温水利用暖房機器とを同一の熱源により加熱された循環水により暖房時の熱供給を行う温水式冷暖房装置であって、
室外に配設され内部を通る冷媒と周囲の空気又は伝熱体との熱交換を行う冷媒側熱交換器と、
内部を通る前記冷媒と室内の空気との熱交換を行う室内側熱交換機と、
前記冷媒側熱交換器と前記室内側熱交換機との間で前記冷媒を循環させる冷媒循環路と、
前記冷媒循環路内の前記冷媒を加圧する圧縮機と、
前記冷媒循環路内の前記冷媒の循環する方向を切り替える循環方向切替手段と、
前記冷媒循環路内の前記冷媒を減圧する減圧手段と、
前記冷媒側熱交換器に送風する送風ファンと、
内部に循環水を通水し外部から加熱することにより前記循環水を加熱する加熱管を有する循環水加熱装置と、
前記伝熱体又は周囲の空気を介して前記冷媒側熱交換器内の前記冷媒と前記循環水との熱交換を行う温水側熱交換器と、
膨張タンクの底部と前記加熱管の上流部とに連通し前記膨張タンクの前記循環水を前記加熱管に供給する上流側温水循環路と，前記加熱管の下流側端と前記温水側熱交換器とを連通する中流側温水循環路と，前記温水側熱交換器と前記膨張タンクとを連通する下流側温水循環路と，を有し，前記循環水が循環する温水循環路と、
前記温水循環路に前記循環水を循環させる循環ポンプと、
前記中流側温水循環路と前記温水利用暖房機器の送水管とに連通し前記温水利用暖房機器に前記循環水を送水する外部送水管と、
前記温水側熱交換器の戻水管と前記下流側温水循環路とに連通し前記温水利用暖房機器より前記循環水を戻水する外部戻水管と、
前記外部送水管及び前記外部戻水管の端部で前記温水利用暖房機器の前記送水管及び前記戻水管が接続可能な外部温水循環路接続口と、
前記外部送水管に配設された開閉弁又は流量調整弁からなる外部温水循環路弁と、
前記中流側温水循環路に配設され前記温水循環路に循環する前記循環水の温度を検出する温度センサと、
暖房開始時において前記外部温水循環路弁を閉止し前記循環水加熱装置により前記循環水を加熱しながら前記循環ポンプにより前記温水循環路を循環させるとともに前記圧縮機を起動し前記冷媒を前記冷媒循環路に循環させ前記室内側熱交換機により室内の暖房を行う温水暖房開始手段と、
前記温水暖房開始手段により室内の暖房が開始された状態で前記温度センサの検出温度が所定の温度以上となったときに前記外部温水循環路弁を開弁する外部温水循環開始手段と、
を備えたことを特徴とする温水式冷暖房装置。
【請求項２】
前記温水利用暖房機器は温水式床暖房装置であることを特徴とする請求項１に記載の温水式冷暖房装置。
【発明の詳細な説明】
【０００１】
【発明の属する技術分野】
本発明は、暖房機能と冷房機能とを有するエアコンと床暖房等の温水利用暖房機器とを組み合わせ、同一の熱源により加熱された温水によりエアコン及び各温水利用暖房機器に熱供給を行う温水式冷暖房装置に関するものである。
【０００２】
【従来の技術】
従来、室内暖房システムとして、温水を利用して室内の空気の温度調節を行う温水エアコンが広く用いられている。また、近年では、温水により室内を床面から加熱することで、さらに快適で健康的な暖房を行う床暖房装置が注目され、研究・開発が行われている。さらに、上記温水エアコンと上記床暖房装置とを組み合わせ、部屋全体の暖房を快適に行うための温水式冷暖房装置の開発も行われている。
【０００３】
従来の温水エアコンと床暖房装置とを組み合わせた温水式冷暖房装置としては、特開平９−１２６４７９号公報（以下イ号公報と呼ぶ）に「暖房戻り継手、戻り管、暖房水タンク、循環ポンプ、熱交換器、往き管、暖房往き継手及び複数の並列な放熱器が順次環状に接続された主回路と、前記戻り管と往き管とに跨るように設けたバイパス回路とからなる温水回路、前記熱交換器を加熱する熱源機を備えた温水暖房装置において、前記暖房往き継手は温水エアコンの放熱器に接続する第１ヘッダーと、熱動弁を介して床暖房の放熱器に接続する第２ヘッダーとを備えたことを特徴とする温水暖房装置」が開示されている。
【０００４】
以下にイ号公報に開示の従来の温水暖房装置について、図面を用いて説明する。
【０００５】
図３はイ号公報に開示の温水暖房装置の構成図である。
【０００６】
図３において、４０は温水暖房装置、４１は温水暖房装置４０の本体、４２，４３，４４，４５は本体４１に接続された放熱器、４６は熱交換のための循環水（暖房水）を貯溜する暖房水タンク、４７は上流側端部が暖房水タンク４６の下部に連通し循環水の通水する往き管、４８は下流側端部が暖房水タンク４６に連通し循環水の通水する戻り管、４９は往き管４７の下流側端部と戻り管４８の上流側端部とに連通するバイパス管、５０は往き管４７の下流側端部に配設され放熱器４２，４３，４４，４５への循環水の供給管が接続された暖房往き継手、５１は戻り管４８の上流側端部に配設され放熱器４２，４３，４４，４５からの循環水の戻水管が接続された暖房戻り継手、５２は往き管４７に配設され往き管４７内の循環水を上流側から下流側に汲水する循環ポンプ、５３は往き管４７に配設され往き管４７内の循環水に熱を供給する熱交換器、５４は熱交換器５３に熱を供給するバーナ、５５はバーナ５４に燃料を供給する燃料供給装置、５６はバーナ５４に燃焼用の空気を供給するファン、５７はバーナ５４からの排気を排出する排気筒、５８は循環水の温度変化に伴う暖房水タンク４６内の水圧変化を吸収するためのドレンタンク、５９はドレンタンク５８内の水位が所定水位を超えるとオーバーフローさせるオーバーフロー管である。
【０００７】
以上のように構成されたイ号公報に開示の従来の温水暖房装置について、以下その動作を説明する。
【０００８】
まず、循環ポンプ５２が起動し、暖房水タンク４６から往き管４７，バイパス管４９，戻り管４８又は往き管４７，放熱器４２，４３，４４，４５，戻り管４８を通して暖房水タンク４６に循環水を循環させる。この状態でバーナ５４により循環水に熱を供給すれば、循環水を媒介して放熱器４２，４３，４４，４５に熱が供給される。
【０００９】
尚、上記温水暖房装置は暖房専用のものであるが、冷房装置も組み合わせる場合、一般には上記温水循環路とは別に、一般的に用いられているアンモニア、可燃性ガス等の代替フロン等の冷媒を循環させるエアコンを備え付けることにより、冷房も行うことができるような構成とされる。
【００１０】
【発明が解決しようとする課題】
しかしながら、上記従来の温水式冷暖房装置では、以下のような課題を有していた。
（１）イ号公報に開示の温水式冷暖房装置では、室内の空気の暖房を行うエアコンとして温水式エアコンを使用する。温水式エアコンでは、供給される温水と室内の空気との熱交換を行う暖房のための暖房用熱交換回路用配管とは別に、冷房のために、室内側熱交換器と室外側熱交換器との間に、冷媒を循環させるための冷房用熱交換回路用配管が必要となる。そのため、施工の際には、温水用の配管と冷媒用の配管の二対の配管が必要となり、施工性が悪いという課題を有していた。
本発明は上記従来の課題を解決するもので、床暖房等の温水利用暖房機器とエアコンとを熱源を共通として組み合わせると共に、温水に熱を供給する室外側熱交換器と室内の空気との熱交換を行う室内側熱交換器との配管が少なく、施工性に優れた温水式冷暖房装置を提供することを目的とする。
【００１１】
【課題を解決するための手段】
上記課題を解決するために、本発明の温水式冷暖房装置は、冷暖房エアコンと温水利用暖房機器とを同一の熱源により加熱された循環水により暖房時の熱供給を行う温水式冷暖房装置であって、室外に配設され内部を通る冷媒と周囲の空気又は伝熱体との熱交換を行う冷媒側熱交換器と、内部を通る冷媒と室内の空気との熱交換を行う室内側熱交換機と、冷媒側熱交換器と室内側熱交換機との間で冷媒を循環させる冷媒循環路と、冷媒循環路内の冷媒を加圧する圧縮機と、冷媒循環路内の冷媒の循環する方向を切り替える循環方向切替手段と、冷媒循環路内の冷媒を減圧する減圧手段と、冷媒側熱交換器に送風する送風ファンと、内部に循環水を通水し外部から加熱することにより循環水を加熱する加熱管を有する循環水加熱装置と、伝熱体又は周囲の空気を介して冷媒側熱交換器内の冷媒と循環水との熱交換を行う温水側熱交換器と、膨張タンクの底部と加熱管の上流部とに連通し膨張タンクの循環水を加熱管に供給する上流側温水循環路と，加熱管の下流側端と温水側熱交換器とを連通する中流側温水循環路と，温水側熱交換器と膨張タンクとを連通する下流側温水循環路と，を有し，循環水が循環する温水循環路と、温水循環路に循環水を循環させる循環ポンプと、中流側温水循環路と温水利用暖房機器の送水管とに連通し温水利用暖房機器に循環水を送水する外部送水管と、温水側熱交換器の戻水管と下流側温水循環路とに連通し温水利用暖房機器より循環水を戻水する外部戻水管と、外部送水管及び外部戻水管の端部で温水利用暖房機器の送水管及び戻水管が接続可能な外部温水循環路接続口と、外部送水管に配設された開閉弁又は流量調整弁からなる外部温水循環路弁と、中流側温水循環路に配設され温水循環路に循環する循環水の温度を検出する温度センサと、暖房開始時において外部温水循環路弁を閉止し循環水加熱装置により循環水を加熱しながら循環ポンプにより温水循環路を循環させるとともに圧縮機を起動し冷媒を冷媒循環路に循環させ室内側熱交換機により室内の暖房を行う温水暖房開始手段と、温水暖房開始手段により室内の暖房が開始された状態で温度センサの検出温度が所定の温度以上となったときに外部温水循環路弁を開弁する外部温水循環開始手段と、を備えた構成より成る。
【００１２】
この構成により、床暖房等の温水利用暖房機器とエアコンとを熱源を共通として組み合わせると共に、温水に熱を供給する室外側熱交換器と室内の空気との熱交換を行う室内側熱交換器との配管が少なく、施工性に優れた温水式冷暖房装置を提供することができる。
【００１３】
【発明の実施の形態】
上記目的を達成するために、本発明の請求項１に記載の温水式冷暖房装置は、冷暖房エアコンと温水利用暖房機器とを同一の熱源により加熱された循環水により暖房時の熱供給を行う温水式冷暖房装置であって、室外に配設され内部を通る冷媒と周囲の空気又は伝熱体との熱交換を行う冷媒側熱交換器と、内部を通る冷媒と室内の空気との熱交換を行う室内側熱交換機と、冷媒側熱交換器と室内側熱交換機との間で冷媒を循環させる冷媒循環路と、冷媒循環路内の冷媒を加圧する圧縮機と、冷媒循環路内の冷媒の循環する方向を切り替える循環方向切替手段と、冷媒循環路内の冷媒を減圧する減圧手段と、冷媒側熱交換器に送風する送風ファンと、内部に循環水を通水し外部から加熱することにより循環水を加熱する加熱管を有する循環水加熱装置と、伝熱体又は周囲の空気を介して冷媒側熱交換器内の冷媒と循環水との熱交換を行う温水側熱交換器と、膨張タンクの底部と加熱管の上流部とに連通し膨張タンクの循環水を加熱管に供給する上流側温水循環路と，加熱管の下流側端と温水側熱交換器とを連通する中流側温水循環路と，温水側熱交換器と膨張タンクとを連通する下流側温水循環路と，を有し，循環水が循環する温水循環路と、温水循環路に循環水を循環させる循環ポンプと、中流側温水循環路と温水利用暖房機器の送水管とに連通し温水利用暖房機器に循環水を送水する外部送水管と、温水側熱交換器の戻水管と下流側温水循環路とに連通し温水利用暖房機器より循環水を戻水する外部戻水管と、外部送水管及び外部戻水管の端部で温水利用暖房機器の送水管及び戻水管が接続可能な外部温水循環路接続口と、外部送水管に配設された開閉弁又は流量調整弁からなる外部温水循環路弁と、中流側温水循環路に配設され温水循環路に循環する循環水の温度を検出する温度センサと、暖房開始時において外部温水循環路弁を閉止し循環水加熱装置により循環水を加熱しながら循環ポンプにより温水循環路を循環させるとともに圧縮機を起動し冷媒を冷媒循環路に循環させ室内側熱交換機により室内の暖房を行う温水暖房開始手段と、温水暖房開始手段により室内の暖房が開始された状態で温度センサの検出温度が所定の温度以上となったときに外部温水循環路弁を開弁する外部温水循環開始手段と、を備えた構成としたものである。
【００１４】
この構成により、以下のような作用が得られる。
（１）室内の暖房を行う場合、圧縮機の吐出側が室内熱交換器に連通するように循環方向切替弁を切り替え、圧縮機により冷媒循環路内を冷媒を循環させる。冷媒は圧縮機で加圧され高温高圧のガスとなり室内熱交換器側を通過する。室内熱交換器を通過した冷媒は中温高圧の液となり冷媒循環路を通り、液冷媒は減圧手段により減圧され、冷媒側熱交換器内に放出される。冷媒側熱交換器内の冷媒は低温低圧のガスとなり圧縮機に戻される。従って、冷媒側熱交換器では外部から冷媒に熱が供給され、室内熱交換器では冷媒から室内の空気に熱が放出される。
（２）室内の冷房を行う場合、圧縮機の吐出側が冷媒側熱交換器に連通するように循環方向切替弁を切り替え、圧縮機により冷媒循環路内を冷媒を循環させる。冷媒は圧縮機で加圧され高温高圧のガスとなり冷媒側熱交換器を通過する。冷媒側熱交換器を通過した冷媒は中温高圧の液となり冷媒循環路を通り、液冷媒は減圧手段により減圧され、室内熱交換器内に放出される。室内熱交換器内の冷媒は低温低圧のガスとなり圧縮機に戻される。従って、室内熱交換器では室内の空気から冷媒に熱が供給され、冷媒側交換器では冷媒から外部に熱が放出される。
（３）室内の暖房のみを行う通常のヒートポンプによる暖房運転においては、上記（１）の動作において、送風ファンにより冷媒側熱交換器に外気を送風し、冷媒側熱交換器に対し常に外気の熱を供給する。また、室内の冷房を行う通常の冷房運転においては、上記（２）の動作において、送風ファンにより冷媒側熱交換器に外気を送風し、冷媒側熱交換器からの熱の放出効率を向上させる。
（４）室内の暖房のみを行う温水加熱による暖房運転においては、上記（１）の動作において、送風ファンは停止した状態で循環ポンプを起動し、温水循環路内に循環水を循環させ、循環水加熱装置により循環水を加熱する。これにより、循環水加熱装置により加熱された循環水（温水）は、温水側熱交換器において伝熱体又は周囲の空気に熱を放出する。伝熱体又は周囲の空気に放出された熱は、冷媒側熱交換器において、冷媒に吸熱され、上記（１）の動作により室内の空気に放熱され暖房が行われる。
（５）温水加熱による暖房運転と同時に他の温水利用暖房機器の運転も行う場合、温水側熱交換器への給水端側の外部温水循環接続口に温水利用暖房機器の給水管を接続し、温水側熱交換器への出水端側の外部温水循環接続口に温水利用暖房機器の戻水管を接続し、この状態で上記（４）の動作を行う。これにより、室内の暖房と同時に温水利用暖房機器にも温水となった循環水が供給され、温水利用暖房機器の同時使用が可能となる。
（６）温水利用暖房機器のみの運転も行う場合、温水側熱交換器への給水端側の外部温水循環接続口に温水利用暖房機器の給水管を接続し、温水側熱交換器への出水端側の外部温水循環接続口に温水利用暖房機器の戻水管を接続し、送風ファンは停止した状態で循環ポンプを起動し、温水循環路内に循環水を循環させ、循環水加熱装置により循環水を加熱する。これにより、温水利用暖房機器に温水となった循環水が供給され、温水利用暖房機器の使用が可能となる。尚、この際、圧縮機は停止しておくことで、冷媒循環路に冷媒が循環させることはなく、ヒートポンプによる室内の暖房は行われない。
（７）圧縮機の回転数を調節することにより、室内側熱交換器への熱量供給の調節が可能であり、温水利用暖房機器へ供給する熱量と室内側熱交換器を通して室内空気へ供給する熱量とを独立に調節することが可能となる。
（８）室内側熱交換器は同一の冷媒により同一の冷媒循環路を使用して冷媒を循環させることにより冷房及び暖房を行うため、従来のように冷房用の配管と暖房用の配管との二対の配管を必要とせず、室内側熱交換器が少なく施工が容易となる。
（９）外気の温度が低い場合、室内の暖房のみを行う温水加熱による暖房運転を行うことにより効率のよい室内暖房を行うことが可能となり、外気の温度に影響されず暖房を行うことが可能となる。
（１０）温水利用暖房機器のために、専用の循環水加熱装置が必要なく、冷暖房エアコンと温水利用暖房機器の設置面積を小さくすることができ、メンテナンスも容易となる。
（１１）室内側熱交換器による室内の暖房のみを行う場合、外部温水循環路弁を閉止し、温水利用暖房機器への温水（循環水）の供給を遮断し、温水を全て温水側熱交換器に循環させる。
（１２）温水利用暖房機器のみを作動させる場合には、外部温水循環路弁を開弁し、温水側熱交換器及び温水利用暖房機器への温水（循環水）の供給を行うと共に、圧縮機の運転は停止する。
（１３）温水加熱による暖房運転と同時に他の温水利用暖房機器の運転も行う場合、外部温水循環路弁を開弁し、同時に循環方向切替弁を暖房側に切り替え、圧縮機を作動させる。
（１４）温水加熱による暖房運転のみを行い温水利用暖房機器を利用しない場合、全ての温水（循環水）が温水側熱交換器に供給されるため、熱効率が改善され、エネルギー消費量を低減させることができる。
（１５）循環水加熱装置を起動した後において、温度センサの検出する循環水の温度が所定の温度まで達していないときには、温水側熱交換器にのみ温水が供給され、温水加熱による室内空気の暖房のみが行われ、温水利用暖房機器への循環水の供給は行われない。温水利用暖房機器への循環水の供給は、温度センサの検出する循環水の温度が所定の温度に達し、外部温水循環開始手段が外部温水循環路弁を開弁することにより、開始される。
（１６）冷暖房エアコンは、循環水の温度が低い場合にも、圧縮機の能力を調節することにより、室内の空気に供給する熱量を調節することが可能であり、循環水の循環開始とほぼ同時に室内の暖房を開始することが可能となる。
（１７）温水利用暖房機器に対しては、循環水の温度が所定の温度以上に達してから温水（循環水）の供給が開始されるため、例えば、温水利用暖房機器として温水式床暖房装置を用いた場合、温度の低い温水（循環水）が供給され室内の温度を逆に下げるといったような、循環水の温度の低いことによる温水利用暖房機器の異常動作を回避することができる。
【００１５】
ここで、減圧手段としては、一般の冷暖房エアコンに使用されているような減圧手段、具体的には、キャピラリーチューブや電子膨張弁等が使用される。
【００２０】
所定の温度は、利用する温水利用暖房機器により任意に設定してよい。例えば、温水利用暖房機器として温水式床暖房装置を使用した場合には、一般に７０℃程度に設定される。
【００２１】
請求項２に記載の発明は、請求項１に記載の温水式冷暖房装置であって、温水利用暖房機器は温水式床暖房装置である構成としたものである。
【００２２】
この構成により、請求項１の作用の他、以下のような作用が得られる。
（１）室内の空気の暖房と温水式床暖房装置による室内の床暖房とを連携して作動させることが可能であり、効率的な室内暖房を行うことが可能となる。
（２）リモコン等の切替スイッチを用いて、室内の空気の暖房と温水式床暖房装置による室内の床暖房とを切り替えて使用することができ、室温や利用者の好みに合わせて、快適な室内暖房を行うことが可能となる。
（３）立ち上がり初期には早く暖まる冷暖房エアコンを使用し、室温が安定したら床暖房を使用することができるのでお互いの欠点を補うことができる。
（４）床暖房は少ない熱量で高い暖房感を得られるため、エアコンと併用した場合にはエアコン自体の設定温度を低くして運転することができ経済的である。
【００２３】
以下に本発明の一実施の形態について、図面を参照しながら説明する。
（実施の形態１）
図１は本発明の実施の形態１における温水式冷暖房装置のシステム構成図である。
【００２４】
図１において、１は温水式冷暖房装置、２は室外に配設され燃料により循環水を加熱して暖房用の温水とする機能を有すると共に冷房用の放熱機能も備えた温水式冷暖房装置１の室外ユニット、３は室内に配設され室内の空気と熱交換を行うことにより室内の冷暖房を行う室内エアコンユニット、４は室内の床面に配設され内部に温水を通水させることで室内の床面からの暖房を行う温水式床暖房装置、４ａは温水式床暖房装置４に温水を供給するための送水管、４ｂは温水式床暖房装置４で使用された温水を戻水するための戻水管、５は室外ユニット２の内部に配設され循環水を循環させると共に加熱する温水循環装置、６は室外ユニット２の内部に配設された開放タンクからなり温水循環装置５に循環される循環水を貯溜すると共に循環水の加熱による体積膨張分を吸収し温水循環装置５内の循環水の圧力を一定に保つための膨張タンク、７は室外ユニット２の内部に配設され循環水を加熱する循環水加熱装置、８は内部に循環水を通水し外部から加熱することにより循環水を加熱する加熱管、９は燃料を燃焼させることにより熱を発生させこの発生熱により加熱管８を加熱する燃焼器、９ａは燃焼器９に燃料を供給する燃料供給管、９ｂは燃料供給管９ａに配設され燃焼器９に燃料をポンピングする燃料供給ポンプ、１０は膨張タンク６の底部と加熱管８の上流部とに連通し膨張タンク６の循環水を加熱管８に供給する上流側温水循環路、１１は上流側温水循環路１０に配設され膨張タンク６内の循環水を加熱管８にポンピングする循環ポンプ、１２は内部に加熱された循環水と代替フロン等の冷媒とを循環させ温水から冷媒に熱交換する機能及び内部に冷媒のみを循環させ冷媒と周囲の空気との熱交換を行う機
能を兼備する温水式熱交換器、１２ａは温水式熱交換器１２の内部に配設された伝熱フィン、１２ｂは伝熱フィン１２ａに沿ってジグザグに配設され内部に循環水を通水し循環水と伝熱フィン１２ａ又は周囲の空気との熱交換を行う温水側熱交換器、１２ｃは伝熱フィン１２ａに沿って温水側熱交換器１２ｂと交互にジグザグに配設され内部に冷媒を通し冷媒と伝熱フィン１２ａ又は周囲の空気との熱交換を行う冷媒側熱交換器、１３は温水式熱交換器１２の近傍に配設され後述の冷房運転時及び循環水加熱装置７を使用しない暖房運転時にのみ温水式熱交換器１２内に室外ユニット２外部の空気を循環させる送風ファン、１３ａは送風ファン１３を駆動するファンモータ、１４は加熱管８の下流側端と温水側熱交換器１２ｂとを連通する中流側温水循環路、１５は温水側熱交換器１２ｂと膨張タンク６とを連通する下流側温水循環路、１６は中流側温水循環路１４と温水式床暖房装置４とに連通し温水式床暖房装置４に温水（循環水）を送水する外部送水管、１６ａは外部送水管１６に配設された開閉電磁弁又は流量調節電磁弁からなる外部温水循環路弁、１６ｂは外部送水管１６の下流側端部に連通し温水式床暖房装置４の送水管４ａが接続可能な外部温水循環路接続口、１７は温水式床暖房装置４の戻水管４ｂと下流側温水循環路１５とに連通し温水式床暖房装置４より循環水を戻水する外部戻水管、１７ａは外部戻水管１７の上流側端部に連通し温水式床暖房装置４の戻水管４ｂが接続可能な外部温水循環路接続口、１８は室内エアコンユニット３内に配設され内部に冷媒を循環させ冷媒と室内の空気との熱交換を行う室内側熱交換器、１９は冷媒を加圧する圧縮機、２０は圧縮機１９に連通し冷媒を蓄圧するアキュームレータ、２
１は一端部が冷媒側熱交換器１２ｃに連通する上流部冷媒循環路、２２は上流部冷媒循環路２１の他端部に連通して配設され冷媒の循環する方向を切り替える循環方向切替手段である四方弁、２３は四方弁２２と室内側熱交換器１８とを連通する中流部冷媒循環路、２４は室内側熱交換器１８と冷媒側熱交換器１２ｃとを連通する下流部冷媒循環路、２５は四方弁２２とアキュームレータ２０とを連通する圧縮機吸入管、２６は圧縮機１９と四方弁２２とを連通する圧縮機送出管、２７は下流部冷媒循環路２４に配設された内径１．０〜１．５ｍｍφ，長さ５００〜６００ｍｍの細管からなり下流部冷媒循環路２４内を流れる冷媒の減圧を行うキャピラリーチューブ、２８は下流部冷媒循環路２４に配設され下流部冷媒循環路２４内を流れる冷媒の圧力の調節を行う電子膨張弁、２９は中流側温水循環路１４に配設され中流側温水循環路１４内の循環水の温度を検出する温度センサ、３０は設定された温度，温度センサ２９の検出温度等に基づき燃料供給ポンプ９ｂ，循環ポンプ１１，ファンモータ１３ａ，外部温水循環路弁１６ａ，圧縮機１９，四方弁２２の制御を行う制御部である。
【００２５】
図２は実施の形態１の温水冷暖房装置の温水加熱運転の制御機構の機能構成を表す機能ブロック図である。
【００２６】
図２において、９は燃焼器、９ｂは燃料ポンプ、１１は循環ポンプ、１６ａは外部温水循環路弁、１９は圧縮機、２２は四方弁、２９は温度センサ、３０は制御部であり、これらは図１と同様のものであるため、同一の符号を付して説明を省略する。
【００２７】
３１は暖房開始時において外部温水循環路弁１６ａを閉止し循環ポンプ１１，燃料供給ポンプ９ｂ，燃焼器９を起動し燃焼器９により循環水を加熱しながら循環ポンプ１１により温水循環路（上流側温水循環路１０，中流側温水循環路１４，下流側温水循環路１５）を循環させるとともに四方弁２２を上流部冷媒循環路２１と圧縮機吸入管２５，圧縮機送出管２６と中流部冷媒循環路２３とが連通するように切り替え圧縮機１９を起動し冷媒を冷媒循環路（上流部冷媒循環路２１，圧縮機吸入管２５，圧縮機送出管２６，中流部冷媒循環路２３，下流部冷媒循環路２４）に循環させ室内側熱交換器１８により室内の暖房を行う温水暖房開始手段、３２は温水暖房開始手段３１により室内の暖房が開始された状態で温度センサ２９の検出温度が所定の温度以上となったときに外部温水循環路弁１６ａを開弁する外部温水循環開始手段である。
【００２８】
以上のように構成された本実施の形態１の温水式冷暖房装置において、以下その動作を説明する。
【００２９】
本実施の形態の温水冷暖房装置は、室内エアコンユニット３のみを作動させる温水加熱暖房運転、温水式床暖房装置４のみを作動させる温水加熱暖房運転、室内エアコンユニット３と温水式床暖房装置４の両方を作動させる温水加熱暖房運転、室内エアコンユニット３を作動させる通常のヒートポンプ運転、室内エアコンユニット３を作動させる冷房運転の５通りの運転が可能であり、以下この順に説明する。
【００３０】
（１）室内エアコンユニット３のみを作動させる温水加熱暖房運転
まず、制御部３０は外部温水循環路弁１６ａを閉止した後、四方弁２２を作動させ、上流部冷媒循環路２１と圧縮機吸入管２５，圧縮機送出管２６と中流部冷媒循環路２３とを連通させる。次に、制御部３０は、圧縮機１９を起動し、冷媒を冷媒側熱交換器１２ｃから上流部冷媒循環路２１，四方弁２２，圧縮機吸入管２５，アキュームレータ２０，圧縮機１９，圧縮機送出管２６、中流部冷媒循環路２３，室内側熱交換器１８，下流部冷媒循環路２４，キャピラリーチューブ２７，電子膨張弁２８，下流部冷媒循環路２４を通して冷媒側熱交換器１２ｃへ循環させる。このとき、冷媒側熱交換器１２ｃ内の冷媒は低圧、室内側熱交換器１８内の冷媒は高圧となり、冷媒側熱交換器１２ｃでは冷媒は吸熱し、室内側熱交換器１８では冷媒は放熱する。
【００３１】
次いで、制御部３０は、循環ポンプ１１を起動し、循環水を膨張タンク６から上流側温水循環路１０，循環ポンプ１１，上流側温水循環路１０，加熱管８，中流側温水循環路１４，温水側熱交換器１２ｂ、下流側温水循環路１５を通して膨張タンク６へ循環させる。
【００３２】
次に、制御部３０は、燃料供給ポンプ９ｂを起動すると共に燃焼器９を点火し、加熱管８内を循環する循環水を加熱し温水とする。
【００３３】
燃焼器９により加熱された温水は、温水式熱交換器１２内において、伝熱フィン１２ａ又は周囲の空気を通して冷媒側熱交換器１２ｃ内の冷媒を加熱する。冷媒側熱交換器１２ｃ内で加熱された冷媒は、室内側熱交換器１８において室内の空気と熱交換し放熱する。これにより、室内の空気の暖房が行われる。
【００３４】
（２）温水式床暖房装置４のみを作動させる温水加熱暖房運転
まず、制御部３０は、外部温水循環路弁１６ａを閉止し、循環ポンプ１１を起動し、循環水を膨張タンク６から上流側温水循環路１０，循環ポンプ１１，上流側温水循環路１０，加熱管８，中流側温水循環路１４，温水側熱交換器１２ｂ、下流側温水循環路１５を通して膨張タンク６へ循環させる。
【００３５】
次いで、制御部３０は、燃料供給ポンプ９ｂを起動させると共に燃焼器９を点火し、加熱管８内を循環する循環水を加熱し温水とする。この際、圧縮機１９は停止状態とし、冷媒は循環させない。
【００３６】
次に、制御部３０は、温度センサ２９の検出する温度Ｔが所定の温度Ｔ０（７０℃前後が目安）となるまで待機し、Ｔ＞Ｔ０となったときに外部温水循環路弁１６ａを開弁し、温水式床暖房装置４に循環水を循環させる。これにより、温水式床暖房装置４は、外部送水管１６から送水される温水（循環水）により、室内の床暖房を行い、温水式床暖房装置４において熱交換を終えた循環水は戻水管４ｂ及び外部戻水管１７より下流側温水循環路１５へ戻水される。
【００３７】
（３）室内エアコンユニット３と温水式床暖房装置４の両方を作動させる温水加熱暖房運転
まず、制御部３０は、外部温水循環路弁１６ａを閉止する。このとき、送風ファン１３が作動している場合には送風ファン１３を停止する。そして、制御部３０は、四方弁２２を作動させ、上流部冷媒循環路２１と圧縮機吸入管２５，圧縮機送出管２６と中流部冷媒循環路２３とを連通させる。
【００３８】
次いで、制御部３０は、圧縮機１９を作動させ、冷媒を冷媒側熱交換器１２ｃから上流部冷媒循環路２１，四方弁２２，圧縮機吸入管２５，アキュームレータ２０，圧縮機１９，圧縮機送出管２６，中流部冷媒循環路２３，室内側熱交換器１８，下流部冷媒循環路２４，キャピラリーチューブ２７，電子膨張弁２８，下流部冷媒循環路２４を通して冷媒側熱交換器１２ｃへ循環させる。このとき、冷媒側熱交換器１２ｃ内の冷媒は低圧、室内側熱交換器１８内の冷媒は高圧となり、冷媒側熱交換器１２ｃでは冷媒は吸熱し、室内側熱交換器１８では冷媒は放熱する。
【００３９】
次に、制御部３０は、循環ポンプ１１を起動し、循環水を膨張タンク６から上流側温水循環路１０，循環ポンプ１１，上流側温水循環路１０，加熱管８，中流側温水循環路１４，温水側熱交換器１２ｂ、下流側温水循環路１５を通して膨張タンク６へ循環させる。そして、制御部３０は、燃料供給ポンプ９ｂを起動させると共に燃焼器９を点火し、加熱管８内を循環する循環水を加熱し温水とする。燃焼器９により加熱された温水は、温水式熱交換器１２内において、伝熱フィン１２ａ又は周囲の空気を通して冷媒側熱交換器１２ｃ内の冷媒を加熱する。冷媒側熱交換器１２ｃ内で加熱された冷媒は、室内側熱交換器１８において室内の空気と熱交換し放熱する。これにより、室内の空気の暖房が行われる。
【００４０】
次に、制御部３０は、温度センサ２９の検出する温度Ｔが所定の温度Ｔ０（７０℃前後が目安）となるまで待機し、Ｔ＞Ｔ０となったとき、外部温水循環路弁１６ａを開弁し、温水式床暖房装置４に循環水を循環させる。温水式床暖房装置４は、外部送水管１６から送水される温水（循環水）により、室内の床暖房を行い、温水式床暖房装置４において熱交換を終えた循環水は外部戻水管１７より下流側温水循環路１５へ戻水される。
【００４１】
（４）室内エアコンユニット３を作動させる通常のヒートポンプ運転
まず、制御部３０は、四方弁２２を作動させ、上流部冷媒循環路２１と圧縮機吸入管２５，圧縮機送出管２６と中流部冷媒循環路２３とを連通させる。次いで、制御部３０は、ファンモータ１３ａを起動し、温水式熱交換器１２内に外気（室外ユニット２の外部の空気）を通風させる。
【００４２】
次に、制御部３０は、圧縮機１９を作動させ、冷媒を冷媒側熱交換器１２ｃから上流部冷媒循環路２１，四方弁２２，圧縮機吸入管２５，アキュームレータ２０，圧縮機１９，圧縮機送出管２６，中流部冷媒循環路２３，室内側熱交換器１８，下流部冷媒循環路２４，キャピラリーチューブ２７，電子膨張弁２８，下流部冷媒循環路２４を通して冷媒側熱交換器１２ｃへ循環させる。このとき、冷媒側熱交換器１２ｃ内の冷媒は低圧、室内側熱交換器１８内の冷媒は高圧となり、冷媒側熱交換器１２ｃでは冷媒は外気の熱を吸熱し、室内側熱交換器１８では冷媒は室内の空気に放熱する。これにより、室内の暖房が行われる。この方法は比較的外気温が高いときに使用される。
【００４３】
（５）室内エアコンユニット３を作動させる冷房運転
まず、制御部３０は、四方弁２２を作動させ、圧縮機送出管２６と上流部冷媒循環路２１，中流部冷媒循環路２３と圧縮機吸入管２５とを連通させる。次いで、制御部３０は、ファンモータ１３ａを起動し、温水式熱交換器１２内に外気を通風させる。
【００４４】
次に、制御部３０は、圧縮機１９を作動させ、冷媒を冷媒側熱交換器１２ｃから下流部冷媒循環路２４，電子膨張弁２８，キャピラリーチューブ２７，下流部冷媒循環路２４，室内側熱交換器１８，中流部冷媒循環路２３，圧縮機吸入管２５，アキュームレータ２０，圧縮機１９，圧縮機送出管２６，四方弁２２，上流部冷媒循環路２１を通して冷媒側熱交換器１２ｃへ循環させる。このとき、室内側熱交換器１８内の冷媒は低圧、冷媒側熱交換器１２ｃ内の冷媒は高圧となり、室内側熱交換器１８では冷媒は室内の空気から吸熱し、冷媒側熱交換器１２ｃでは冷媒は外気へ放熱する。これにより、室内の冷房が行われる。
【００４５】
【発明の効果】
以上のように本発明によれば以下のような有利な効果を得ることができる。
【００４６】
（１）従来の温水式冷暖房装置に比べ、室内エアコンユニットへの配管が減少し、施工性が向上する。
（２）圧縮機の能力を調節することにより、室内側熱交換器へ供給する熱量の調節が可能なため、温水利用暖房機器へ供給する熱量と室内側熱交換器へ供給する熱量とを独立に調節することが可能となる。
（３）外気の温度が低い場合にも、室内の暖房のみを行う温水加熱による暖房運転を行うことにより効率のよい室内暖房を行うことが可能で、外気の温度に影響されず暖房を行うことが可能な温水式冷暖房装置を提供することができる。
（４）温水利用暖房機器のために、専用の循環水加熱装置が必要なく、冷暖房エアコンと温水利用暖房機器の設置面積を小さくすることができ、メンテナンスも容易な温水式冷暖房装置を提供することができる。
（５）室内側熱交換器のみを暖房で作動させる場合、全ての温水（循環水）を温水側熱交換器に供給することができるため、熱効率が高く省エネルギー性に優れた温水式冷暖房装置を提供することができる。
（６）室内側熱交換器から室内の空気への熱供給は、圧縮機の能力の調節をすることにより調節することができ、循環水の循環の開始と同時に暖房を開始することができる。
（７）温水利用暖房機器に対しては、循環水の温度が所定の温度以上に達してから温水（循環水）の供給が開始されるため、温度の低い温水（循環水）が供給され室内の温度を逆に下げるといったような、循環水の温度の低いことによる温水利用暖房機器の異常動作を回避することができる。
【００４９】
請求項２に記載の発明によれば、請求項１の効果の他、
（１）室内の空気の暖房と温水式床暖房装置による室内の床暖房とを連携して作動させることが可能であり、効率的な室内暖房を行うことが可能な温水式冷暖房装置を提供することができる。
（２）リモコン等の切替スイッチを用いて、室内の空気の暖房と温水式床暖房装置による室内の床暖房とを切り替えて使用することができ、室温や利用者の好みに合わせて、快適な室内暖房を行うことが可能な温水式冷暖房装置を提供することができる。
（３）立ち上がり初期には早く暖まる冷暖房エアコンを使用し、室温が安定したら床暖房を使用することができるのでお互いの欠点を補うことができる。
（４）床暖房は少ない熱量で高い暖房感を得られるため、エアコンと併用した場合にはエアコン自体の設定温度を低くして運転することができ経済的である。
【図面の簡単な説明】
【図１】  本発明の実施の形態１における温水式冷暖房装置のシステム構成図
【図２】  実施の形態１の温水冷暖房装置の温水加熱運転の制御機構の機能構成を表す機能ブロック図
【図３】  イ号公報に開示の温水暖房装置の構成図
【符号の説明】
１  温水式冷暖房装置
２  室外ユニット
３  室内エアコンユニット
４  温水式床暖房装置
４ａ  送水管
４ｂ  戻水管
５  温水循環装置
６  膨張タンク
７  循環水加熱装置
８  加熱管
９  燃焼器
９ａ  燃料供給管
９ｂ  燃料供給ポンプ
１０  上流側温水循環路
１１  循環ポンプ
１２  温水式熱交換器
１２ａ  伝熱フィン
１２ｂ  温水側熱交換器
１２ｃ  冷媒側熱交換器
１３  送風ファン
１３ａ  ファンモータ
１４  中流側温水循環路
１５  下流側温水循環路
１６  外部送水管
１６ａ  外部温水循環路弁
１６ｂ  外部温水循環路接続口
１７  外部戻水管
１７ａ  外部温水循環路接続口
１８  室内側熱交換器
１９  圧縮機
２０  アキュームレータ
２１  上流部冷媒循環路
２２  四方弁
２３  中流部冷媒循環路
２４  下流部冷媒循環路
２５  圧縮機吸入管
２６  圧縮機送出管
２７  キャピラリーチューブ
２８  電子膨張弁
２９  温度センサ
３０  制御部
３１  温水暖房開始手段
３２  外部温水循環開始手段
４０  温水暖房装置
４１  本体
４２，４３，４４，４５  放熱器
４６  暖房水タンク
４７  往き管
４８  戻り管
４９  バイパス管
５０  暖房往き継手
５１  暖房戻り継手
５２  循環ポンプ
５３  熱交換器
５４  バーナ
５５  燃料供給装置
５６  ファン
５７  排気筒
５８  ドレンタンク
５９  オーバーフロー管
【図１】
0004344044.tif 000002
【図２】
0004344044.tif 000003
【図３】
0004344044.tif 000004